(57)【要約】【課題】  上半身を雨・風から護り、今までの雨具の身体に接する不快感を解消し、雨滴がカバーを伝わり落ち衣服等を濡らさないようにする上半身用防雨・防風カバー。【解決手段】  運転者の首から下の上半身を覆うカプセル状のカバーで覆い、上から被るようカバー上部に頭部が通る口を開け、雨具用の帽子を取り付け、側面には腕が通る口を開け、そこに袖をつけたもので構成する。もしくは運転者の頭部から上半身をすっぽりカプセル状のカバーで覆い、カバーを押し上げ開閉できる装置で構成し、くもり止めとして空気の通る通気口を配したカバーの構造にする。前部には風によるあおり止め用のカバー固定部品兼開閉支点を配し、カバー裾の部分にはＵ字の溝を構成、水を導き滴り落ちるのを防止した構造のスクーター、自転車、二輪車用の上半身用カプセル型防雨・防風カバーにする。【選択図】        図１
2006248301.tif 000002
【特許請求の範囲】
【請求項１】
運転者の首から下の上半身をお椀を逆さにしたカプセル状のカバー（１）で覆い、上から被るようカバー上部に頭部が通る口を開け、雨具用の帽子（３）を取り付ける。側面には腕が通る口を開け、そこに袖（４）をつけたもので構成し、カバー前部には風によるあおり止め用のカバー固定部品（２）を配し、カバー裾の部分にＵ字の溝（８）を構成し、水を導き滴り落ちるのを防止した構造を特徴とするスクーター、自転車、二輪車用の上半身用カプセル型防雨・防風カバー。
【請求項２】
運転者の頭部から上半身をすっぽり覆うカプセル状のカバー（１０）に、カバー前部にはあおり止め用のカバー固定部品（１１）とカバーを押し上げ開閉できる装置（１１）で構成した防雨・防風用カバーで、くもり止めとして空気の通る通気口（１２）を配し、カバー裾の部分にＵ字の溝（８）を構成し、水を導き滴り落ちるのを防止した構造を特徴とするスクーター、自転車、二輪車用の上半身用カプセル型防雨・防風カバー。
【発明の詳細な説明】
【技術分野】
【０００１】
本発明は、スクーター、自転車、二輪車が寒冷時、雨天時に利用する防雨・防風カバーに関する。
【背景技術】
【０００２】
運転者の上半身のみを覆うカバーは見当たらない。しかし運転者全身を覆うようにしたものにはピザーラの屋根つき等があるが、本体に支柱を付ける構造でまわりを覆っていない。
支柱構造なので下からの風に煽られるなどかなり大きな抵抗がある。他に雨具として上衣雨具、ポンチョなどがあるが現状では上半身をカプセルのようにし、流線型にして風の抵抗を減らしたカバーはない。また、下半身を覆うカバーは特願２００５−５０７１６で出ている。そのカバーと合わせて使用できる上半身用カプセル型カバーは発明されていない。
【発明の開示】
【発明が解決しようとする課題】
【０００３】
運転者の首から下の上半身を冷たい風から防ぎ、雨を防ぐのは雨具上衣、ポンチョがある。雨具上衣、ポンチョは身体に接しているので寒さが伝わり、体温を奪う。着替えが面倒で特に買い物ではそのままで店に入れない等の不便さがある。雨具が身体に接しているため常に雨に濡れているという不快感がある。身体と雨との間に空間を設け不快感を解消する。下半身を覆うカバーは特願２００５−５０７１６で出されているがそれに見合う雨具はあるがカバーはまだ発明されていない。雨天時に郵便配達などで荷台かごから荷物を取り出すのに濡れないようにするためには傘を使う、ビニールで被うなどの別のものが必要であり、防雨・防風カバー自身が傘を代用し、荷物の出し入れができる便利な防雨・防風カバーにする。カバー裾の部分にＵ字の溝を構成し、水を導き滴り落ちるのを防止できるようにする。
【０００４】
運転者の頭部を含む上半身を冷たい風から防ぎ、雨を防ぐのは雨具上衣、ポンチョがある。雨具上衣、ポンチョは身体に接しているので寒さが伝わり、体温を奪う。着替えが面倒で特に買い物ではそのままで店に入れない等の不便さがある。雨具が身体に接しているため常に雨に濡れているという不快感がある。身体と雨との間に空間を設け不快感を解消する上半身を被うカバーは実用化されていない。下半身を覆うカバーは特願２００５−５０７１６で出されているがそれに見合う雨具はあるがカバーはまだ発明されていない。雨天時に郵便配達などで荷台かごから荷物を取り出すのに濡れないようにするためには傘を使う、ビニールで被うなどの別のものが必要であり、防雨・防風カバー自身が傘を代用し、荷物の出し入れができる便利な防雨・防風カバーにする。カバー裾の部分にＵ字の溝を構成し、水を導き滴り落ちるのを防止できるようにする。
【課題を解決するための手段】
【０００５】
０００３の課題を解決するため、運転者の首から下の上半身をお椀を逆さにしたカプセル状のカバーで覆い、上から被るようカバー上部に頭部が通る口を開け、雨具用の帽子を取り付ける。側面には腕が通る口を開け、そこに袖をつけたもので構成し、カバー前部には風によるあおり止め用のカバー固定部品を配し、カバー裾の部分にＵ字の溝を構成し、水を導き滴り落ちるのを防止した構造を特徴とするスクーター、自転車、二輪車用の上半身用カプセル型防雨・防風カバーを発明する。本発明により身体と雨との間に空間を設けるため雨具使用の不快感を解消できる。雨天時に郵便配達などで荷台かごから荷物を取り出すのに濡れないようにするためには傘を使う、ビニールで被うなどの別のものが必要である。請求項１の防雨・防風カバーのあおり止め部分を簡単に着脱できるようにして上半身に装着したまま移動できるようにすると傘を代用し、荷物の出し入れができ、便利な防雨・防風カバーとなる。雨が防雨、防風カバーを伝わり、雨滴として落ち、その雨滴によりズボン、衣服が濡れないように雨滴を集め、影響の無い所に導き落とすために防雨・防風カバーの下、裾の部分をＵ字の形状にする。
【０００６】
０００４の課題を解決するため、運転者の頭部から上半身をすっぽり覆うカプセル状のカバーに、カバー前部にはあおり止め用のカバー固定部品とカバーを押し上げ開閉できる装置で構成した防雨・防風用カバーで、くもり止めとして空気の通る通気口を配し、カバー裾の部分にＵ字の溝を構成し、水を導き滴り落ちるのを防止した構造を特徴とするスクーター、自転車、二輪車用の上半身用カプセル型防雨・防風カバーを発明する。本発明により身体と雨との間に空間を設けるため雨具使用の不快感を解消できる。雨天時に郵便配達などで荷台かごから荷物を取り出すのに濡れないようにするためには傘を使う、ビニールで被うなどの別のものが必要である。請求項２の防雨・防風カバーのあおり止め部分を簡単に着脱できるようにして上半身に装着したまま移動できるようにすると傘を代用し、荷物の出し入れができ、便利な防雨・防風カバーとなる。雨が防雨、防風カバーを伝わり、雨滴として落ち、その雨滴によりズボン、衣服が濡れないように雨滴を集め、影響の無い所に導き落とすために防雨・防風カバーの下、裾の部分をＵ字の形状にする。
【発明の効果】
【０００７】
本上半身用のカバーと特願２００５−５０７１６と合わせて使用し雨・風に対してふせぐことができ、風による走行中の抵抗も少なくできるため快適な防雨・防風カバーとなる。また郵便配達など荷物の出し入れを頻繁に行うスクーター、自転車、二輪車等では特許出願中の特願２００５−５０７１６の下部防雨・防風カバーと本請求項カバーを組み合わせ、本請求項カバーを荷台に被せ、傘の代わりにできるため大変便利になる。本カバーは身体と雨との間に空間を設けたことで熱の放散や雨具が身体と接することからくる不快感を解消でき、本カバーを脱いで車体に被せれば運転席の雨よけにもなる。しかもそのままの服装で店に入れる利点がある。雨具着替えの必要性をなくし、大変画期的で便利な運転者にやさしい防雨・防風カバーを提供できる。
【発明を実施するための最良の形態】
【０００８】
請求項１の上半身用カバー（１）をつくることで上半身と雨との間に空間を作る。カバーは上半身に装着する。帽子（３）を設ける。手が外に出せるように袖口、袖（４）をつける。以上の構造にした上部用防雨・防風カバーを設けることで上半身を雨、風から護り、使用しやすい防雨・防風カバーになる。背後からの雨にはカバー付属の帽子を被ったあとにヘルメットを装着するとよい。前からの風で煽られる場合はカバー前部分に煽り止め固定部品（２）を使用する。あおり止め固定部品はワンタッチで着脱できるものにする。このようにすると上カバーを装着して運転者が移動できるため荷物かごに傘のように被せて郵便物の出し入れを行えるため荷物が濡れない。カバーを身体にバンド（５）などで取り付けると安定する。荷物が見えるようにカバーは透明にするとよい。カバーの外のものの受け渡し、ミラー調整、カバー装着、ヘルメット装着などの作業を袖口、袖（４）を通して行える構造にする。雨がカバーを伝わり、滴り落ちることでズボン、衣服が濡れるのを防止するためカバーの下の裾の部分をＵ字型に折り返すことで影響のないところに水を導き、濡れるのを防ぐことができる。
【０００９】
請求項２の上半身用カバー（１０）をつくることで上半身と雨との間に空間を作る。カバーは上半身に装着する。バックミラー調整のため手が外に出せるように蓋付の口（９）をつけるとよい。以上の構造にした上部用防雨・防風カバーを設けることで上半身を雨、風から護り、使用しやすい防雨・防風カバーになる。前からの風で煽られる場合はカバー前部分に煽り止め固定部品兼開閉支点部品（１１）を設ける。あおり止め固定部品、開閉支点部品（１１）はワンタッチで着脱できるものにする。このようにすると上半身用カバーを装着して運転者が移動できるため荷物かごに傘のように被せて郵便物の出し入れを行えるため荷物が濡れない。カバーを身体にバンド（５）などで取り付けると安定する。荷物が見えるようにカバーは透明にするとよい。ミラー調整などの作業をバックミラー調整口（９）を通して行える構造にすると最良となる。雨がカバーを伝わり、滴り落ちることでズボン、衣服が濡れるのを防止するためカバーの下の裾の部分をＵ字型に折り返すことで影響のないところに水を導き、濡れるのを防ぐことができる。後ろから風に煽られた場合にはカバー後部にワンタッチで止められる荷台との止め金具、部品を設ける。顔を覆っているため視界を確保する必要があり。最低、視界部分は透明な材料とし、サイドミラーも見られるように透明にする。
【産業上の利用可能性】
【００１０】
本発明に係るスクーター、自転車、二輪車用の上半身用カプセル型防雨・防風カバーは、工業的に量産する事が可能であるため、産業上の利用可能性を有する。
【図面の簡単な説明】
【００１１】
【図１】請求項１の上半身用カプセル型防雨・防風カバーでスクーターを例に使用した状態の図である。
【図２】請求項１の上半身用カプセル型防雨・防風カバーを使用し、荷物が雨に濡れないように取り出している図である。
【図３】請求項２の運転手の頭部を含む上体を被うようにした上半身用カプセル型防雨・防風カバーでスクーターを例に装着した図である。
【図４】請求項２の上半身カプセル型防雨・防風カバーでスクーターを例に装着し、乗降できるようにカプセルを上に押し上げ開閉する構造を説明した図である。
【符号の説明】
【００１２】
１  上半身用カプセル型防雨・防風カバー
２  カバーあおり止め固定部品
３  カバー付属帽子
４  カバー袖口及び袖
５  身体固定用具
６  ヘルメット
７  襟口調整用ボタン等
８  防雨・防風カバー用Ｕ字溝
９  バックミラー調整用口（使用するときに開ける。蓋付）
１０  上半身用カプセル型防雨・防風カバー
１１  カバーあおり止め固定部品及び開閉支点部品
１２  通気口
１３  カバー後部荷台取り付け用部品
１４  カバー開閉方向
【図１】
2006248301.tif 000003
【図２】
2006248301.tif 000004
【図３】
2006248301.tif 000005
【図４】
2006248301.tif 000006